(57)【特許請求の範囲】
【請求項１】
マルチバンドアンテナであって、
単一無線周波数（ＲＦ）入力部と、
前記単一ＲＦ入力部に結合された第１のアンテナであって、前記マルチバンドアンテナの第１の共振モードを提供するように構成される第１のアンテナと、
前記第１のアンテナに寄生的に結合された第２のアンテナであって、前記マルチバンドアンテナの複数の共振モードを提供するように構成される第２のアンテナと、を備え、
前記第２のアンテナがＴモノポールアンテナであり、
前記Ｔモノポールアンテナが、
接地に結合された基部と、
前記基部の第１の側部から外部に延長する第１のアームと、
前記基部の第２の側部から外部に延長する第２のアームと、
前記第２のアームの遠位端から前記基部の前記第２の側部に向かって戻るように延長する折り返しアームと、
前記第２のアームの方向に前記折り返しアームのある部分を延長させる延長領域と、を備える、マルチバンドアンテナ。
【請求項２】
無線モデムと、
前記無線モデムに結合された単一無線周波数（ＲＦ）入力部を介して前記無線モデムとの間でデータを通信するために電磁エネルギを放射するように構成されるマルチバンドアンテナであって、
前記単一ＲＦ入力部に結合された第１のアンテナであって、前記マルチバンドアンテナの第１の共振モードを提供するように構成される第１のアンテナと、
前記第１のアンテナに寄生的に結合された第２のアンテナであって、前記マルチバンドアンテナの複数の共振モードを提供するように構成される第２のアンテナと、を備えるマルチバンドアンテナと、を備え、
前記第２のアンテナがＴモノポールアンテナであり、
前記Ｔモノポールアンテナが、
接地に結合された基部と、
前記基部の第１の側部から外部に延長する第１のアームと、
前記基部の第２の側部から外部に延長する第２のアームと、
前記第２のアームの遠位端から前記基部の前記第２の側部に向かって戻るように延長する折り返しアームと、
前記第２のアームの方向に前記折り返しアームのある部分を延長させる延長領域と、を備える、ユーザ装置。
【請求項３】
前記無線モデムと前記単一ＲＦ入力部とに結合された電力増幅器をさらに備える、請求項２に記載のユーザ装置。
【請求項４】
前記マルチバンドアンテナが誘電性キャリア上に配置される、請求項３に記載のユーザ装置。
【請求項５】
前記第１のアンテナがモノポールアンテナまたはループアンテナのうちの１つである、請求項１に記載のマルチバンドアンテナまたは請求項２に記載のユーザ装置。
【請求項６】
前記第１のアームが前記複数の共振モードのうちの１つとして第２の共振モードを提供するように構成され、前記第２のアームが前記複数の共振モードのうちの１つとして第３の共振モードを提供するように構成され、前記折り返しアームが前記複数の共振モードのうちの１つとして第４の共振モードを提供するように構成される、請求項１に記載のマルチバンドアンテナまたは請求項２に記載のユーザ装置。
【請求項７】
前記第１の共振モードが１９１０ＭＨｚ〜２３１０ＭＨｚの範囲にあり、前記第２の共振モードが７００ＭＨｚ〜１０００ＭＨｚの範囲にあり、前記第３の共振モードが５５０ＭＨｚ〜８５０ＭＨｚの範囲にあり、前記第４の共振モードが１６６０ＭＨｚ〜２０６０ＭＨｚの範囲にある、請求項６に記載のマルチバンドアンテナまたはユーザ装置。
【請求項８】
前記第１のアームが前記複数の共振モードのうちの１つとして第２の共振モードを提供するように構成され、前記第２のアームが前記複数の共振モードのうちの１つとして第３の共振モードを提供するように構成され、前記折り返しアームおよび前記延長領域が前記複数の共振モードのうちの１つとして第４の共振モードを提供するように構成される、請求項１に記載のマルチバンドアンテナまたは請求項２に記載のユーザ装置。
【請求項９】
前記第１の共振モードが１９１０ＭＨｚ〜２３１０ＭＨｚの範囲にあり、前記第２の共振モードが７００ＭＨｚ〜１０００ＭＨｚの範囲にあり、前記第３の共振モードが５５０ＭＨｚ〜８５０ＭＨｚの範囲にあり、前記第４の共振モードが１６６０ＭＨｚ〜２０６０ＭＨｚの範囲にある、請求項８に記載のマルチバンドアンテナまたはユーザ装置。
【請求項１０】
前記延長領域が、前記マルチバンドアンテナと前記単一ＲＦ入力部との間のインピーダンス整合を制御するように構成される、請求項９に記載のマルチバンドアンテナまたはユーザ装置。
【請求項１１】
前記第１のアンテナがループアンテナであり、前記第２のアンテナがモノポールアンテナである、請求項１に記載のマルチバンドアンテナまたは請求項２に記載のユーザ装置。
【請求項１２】
前記ループアンテナが延長領域を備える、請求項１１に記載のマルチバンドアンテナまたはユーザ装置。
【発明の詳細な説明】
【技術分野】
【０００１】
関連出願
本出願は、２０１１年６月８日に出願された、米国特許仮出願第６１／４９４，７９９号、および２０１１年８月１６日に出願された米国出願第１３／２１１，１３８号の利益を主張するものであり、これらはその全体が参照により本明細書に組み込まれる。
【背景技術】
【０００２】
音楽、映画、画像、電子本などのデジタルメディアアイテムを消費することによって娯楽を享受しているユーザ人口は既に多数存在するが、さらに増大している。これらユーザは、様々な電子装置を用いて、このようなメディアアイテムを消費している。このような電子装置（本明細書ではユーザ装置と呼ぶ）の中には、電子本読み取り機、携帯電話、パーソナルデジタルアシスタント（ＰＤＡ）、携帯式メディアプレーヤー、タブレット型コンピュータ、ネットブック、ラップトップなどがある。このような電子装置は、通信基盤と無線通信して、デジタルメディアイテムの消費を可能にしている。他の装置と無線通信するために、このような電子装置は１つ以上のアンテナを含む。
【０００３】
従来のアンテナは通常は、低周波帯域に１つのみの共振モードと、高周波数帯域に１つのみの共振モードがある。低周波帯域で１つの共振モードがあり高周波数帯域で１つの共振モードがあれば、３Ｇの応用分野などの一部のシナリオでは必要な周波数をカバーするのに十分である。３Ｇ、または第３世代のモバイル電気通信とは、国際電気通信連合の世界共通次世代携帯電話システム２０００（ＩＭＴ−２０００）仕様を満たすモバイル電話およびモバイル電気通信サービスのための世代規格である。アプリケーションサービスには、広域無線音声電話、モバイルインターネットアクセス、ビデオ通話、モバイルテレビを含み、これらはすべてモバイル環境で利用される。３Ｇ応用分野での必要周波数は、低周波数帯域ではＧＳＭ（登録商標）８５０／ＥＧＳＭであり、高周波数帯域ではＤＣＳ／ＰＣＳ／ＷＣＤＭＡ（登録商標）である。３Ｇ帯域は、８２４ＭＨｚと９６０ＭＨｚの間にある。ＬＴＥ（Ｌｏｎｇ  Ｔｅｒｍ  Ｅｖｏｌｕｔｉｏｎ）とＬＴＥ−Ａｄｖａｎｃｅｄ（時として一般に４Ｇと呼ばれる）は、３ＧＰＰ（３ｒｄ  Ｇｅｎｅｒａｔｉｏｎ  Ｐａｒｔｎｅｒｓｈｉｐ  Ｐｒｏｊｅｃｔ）によって規格化された通信規格である。しかしながら、４Ｇ／ＬＴＥの応用において７００ＭＨｚにまで下げて周波数受信可能範囲を拡張するためには、アンテナの帯域幅を、特に低周波数帯域で増大させる必要がある。米国では、７０４ＭＨｚ〜７４６ＭＨｚまで（バンド１７）と７４６ＭＨｚ〜７８７ＭＨｚまで（バンド１３）の一般的な２つのＬＴＥ帯域がある。従来の解決策では、アンテナの寸法を大きくしたり能動的な調整部品を用いたりして、帯域幅を拡張していた。こうする代わりに、別々のアンテナを用いて互いに異なる帯域を達成する伝統的な解決策も存在した。このような解決策は、装置に搭載するにはアンテナの利用可能なスペースの寸法のため、多くの場合、ユーザ装置で用いても助けにはならない。
【０００４】
本発明は、以下の詳細な説明と本発明の様々な実施形態の添付図面とによって完全に理解されるものであるが、これらは、本発明をこれら具体的な実施形態に限定することを意図したものではなく、単に説明と理解だけを目的としたものであることを理解すべきである。
【図面の簡単な説明】
【０００５】
【図１】Ｔモノポールアンテナとモノポールアンテナを含むマルチバンドアンテナの１つの実施形態を示す。
【図２】１つの実施形態に関わる図１のマルチバンドアンテナを有するユーザ装置のブロック図である。
【図３】１つの実施形態に関わる図１のマルチバンドアンテナの周波数特性のグラフである。
【図４】１つの実施形態に関わる図１のマルチバンドアンテナの周波数特性のグラフである。
【図５】ループアンテナおよびモノポールアンテナを含むマルチバンドアンテナの別の実施形態を示す。
【図６】延長領域付きのループアンテナおよびモノポールアンテナを含むマルチバンドアンテナの別の実施形態を示す。
【図７】ループアンテナおよびＴモノポールアンテナを含むマルチバンドアンテナの別の実施形態を示す。
【図８】１つの実施形態に関わる、第１のアンテナに寄生的に結合した第１のアンテナおよび第２のアンテナを有するマルチバンドアンテナを持ったユーザ装置を操作する方法の実施形態を示すフロー図である。
【発明を実施するための形態】
【０００６】
ユーザ装置のマルチバンドアンテナの帯域幅を拡張する方法とシステムを説明する。１つの実施形態では、マルチバンドアンテナは、第１のアンテナに結合された単一無線周波数（ＲＦ）入力部を含み、この第１のアンテナが第１の共振モードを提供するように構成される。このマルチバンドアンテナはまた、第１のアンテナと寄生的に結合されて、このマルチバンドアンテナに追加の共振モードを提供する第２のアンテナを含む。ユーザ装置は、ユーザ装置をネットワークに接続するための無線モデムを含むなんらかのコンテンツレンダリング装置でありえる。このようなユーザ装置の例には、電子本読み取り機、携帯式デジタルアシスタント、モバイル電話、ラップトップコンピュータ、携帯式メディアプレーヤー、タブレットコンピュータ、カメラ、ビデオカメラ、ネットブック、ノート型パソコン、デスクトップ型コンピュータ、ゲーム機、ＤＶＤプレーヤー、メディアセンターなどがある。ユーザ装置は、ネットワークに接続して、サーバコンピュータシステム（例えば、アイテム提供システム）からコンテンツを獲得したり、他の動作を実行したりし得る。ユーザ装置は、互いに異なるタイプの１つ以上の携帯電話ネットワークに接続し得る。
【０００７】
上記のとおり、従来のアンテナは通常は、低周波帯域に１つのみの共振モードと、高周波数帯域に１つのみの共振モードがある。本明細書に説明する実施形態では、追加の共振モードを付加して周波数受信可能範囲を拡張することによってマルチバンドアンテナの帯域幅を増大させている。１つの実施形態では、マルチバンドアンテナは、４Ｇ／ＬＴＥの応用において７００ＭＨｚにまで下げて周波数受信可能範囲を拡張している。１つの実施形態では、マルチバンドアンテナは、モノポールアンテナとＴモノポールアンテナとを結合させて共振モードを追加している。マルチバンドアンテナは、モノポールアンテナを駆動する単一ＲＦ入力部を有し、Ｔモノポールアンテナは寄生素子である。モノポールアンテナとＴモノポールアンテナとを結合させることによって、低周波数帯域で２つの共振モードを新たに作りだし、また、高周波数帯域で２つの共振モードを新たに作りだすことが可能である。ここに提案するマルチバンドアンテナは、２つの共振モードを用いて、７００ＭＨｚ〜９６０ＭＨｚまでをカバーして３Ｇ帯域をその範囲に収め、また、単一ＲＦ入力部でＬＴＥ帯域をその範囲に収めている。本明細書に説明する実施形態は、３Ｇ帯域とＬＴＥ帯域での使用に制限されることはなく、Ｄｕａｌ−ｂａｎｄ  ＷｉＦｉ、ＧＰＳ、およびＢｌｕｅｔｏｏｔｈ（登録商標）の周波数帯域などの他の帯域でのマルチバンド周波数の帯域幅を増大させるために利用可能である。本明細書に説明する実施形態は、単一ＲＦ入力部フィードを持ったマルチバンドアンテナを提供し、帯域幅拡張のために能動的な調整を何ら用いることはない。本明細書で説明する実施形態はまた、帯域幅が拡大したマルチバンドアンテナを、ユーザ装置での使用を促進するサイズで提供する。
【０００８】
図１に、Ｔモノポールアンテナ１３０とモノポールアンテナ１２０を含むマルチバンドアンテナ１１０の１つの実施形態を示す。本実施形態では、マルチバンドアンテナ１１０は、モノポールアンテナ１２０の単一ＲＦ入力部１４２からデータ入力され、Ｔモノポールアンテナは寄生素子である。寄生素子とは、この単一ＲＦ入力部によって直接には駆動されないマルチバンドアンテナの部品である。むしろ、この単一ＲＦ入力部は、寄生素子に寄生的に電流を誘導する、マルチバンドアンテナの別の部品を直接に駆動する。特に、この単一ＲＦ入力部によって他方の部品に電流を直接に誘導することによって、この直接入力された部品が電磁エネルギを放射し、これによって、寄生素子にも別の電流が流れ、これもまた、複数の共振モードにおいて、電磁エネルギを放射する。この示された実施形態では、Ｔモノポールアンテナ１３０は、この単一ＲＦ入力部１４２で駆動されるモノポールアンテナ１２０とは物理的に離れているから寄生素子である。駆動されたモノポールアンテナ１２０は、Ｔモノポールアンテナ１３０に寄生電流を励起する。１つの実施形態では、Ｔモノポールアンテナ１３０とモノポールアンテナ１２０は、あるギャップだけ物理的に分離することが可能である。こうする代わりに、他のアンテナ構成を用いて、駆動部品と寄生素子とを含むようにしても良い。モノポールアンテナ１２０とＴモノポールアンテナ１３０の寸法を変化させて、本開示の恩典を有する当業者には理解されるように、所望の周波数範囲を達成するようにしても良いが、アンテナの全長は周波数を決定する主要な要因であり、アンテナの幅はインピーダンス整合を決める要因である。全長と幅を決める要因は互いに依存していることに注意すべきである。
【０００９】
本実施形態では、４つの生成された共振モードがある。Ｔモノポールアンテナ１３０は、接地１４４に結合された基部１２１を含む。この接地１４４は、ユーザ装置の金属フレームでもよい。接地１４４は、システムの接地でもユーザ装置が持つ複数の接地のうちの１つでもよい。基部１２１の第１の側部から延長している左上アーム１３２は、低周波帯域中の７００ＭＨｚのところで第１の共振モードを生じさせる。基部１２１の第２の側部から延長している右アーム１３４は、低周波帯域中の８５０ＭＨｚのところで第２の共振モードを生じさせる。左上アーム１３２の遠位端から基部１２１の第１の側部に向かって戻るように延長している左の折り返しアーム１３６は、高周波帯域中の１８６０ＭＨｚのところで第３の共振モードを生じさせる。モノポール１２０は、高周波帯域中の２１１０ＭＨｚのところで第４の共振モードを生じさせる。本実施形態においては、単一ＲＦ入力部１４２によって駆動されるモノポール１２０は１つの共振モードを生じさせるが、他の実施形態では、この駆動される部品が、本開示の恩典を有する当業者であれば理解されるように、２つ以上の共振モードを生じ得ることに注意すべきである。マルチバンドアンテナ１１０は、余分の共振モードを追加することによって帯域幅を増大させ、また、周波数受信可能範囲を７００ＭＨｚにまで延長させている。図３と４は、１つの実施形態に関わる図１のマルチバンドアンテナ１１０の周波数特性のグラフ３００と４００である。図３はマルチバンドアンテナ１１０の第１の共振モード３０２と第２の共振モード３０４を示し、図４は第３の共振モード４０２と第４の共振モード４０４を示している。アームに関しての右、左、上という用語は図面の説明を容易にするために使用されているが、左上アーム、右上アーム、左アーム、右アームなどは、図面中の特定の視野を基準とした相対的なものであることに注意すべきである。もちろん、アンテナを別の視野から見れば、これらの相対的な用語も異なる。
【００１０】
１つの実施形態では、Ｔモノポールアンテナ１３０の左折り返しアーム１３６は、延長領域１３８を有している。延長領域１３８は、第３の共振モードでの周波数に貢献するだけではなく、第４の共振モードのインピーダンス整合を制御する。こうする代わりに、本開示の恩典を有する当業者には理解されるように、マルチバンドアンテナ１１０の他の構成を用いても良い。本明細書に説明するアンテナは、二次元形状で実施してもよく、本開示の恩典を有する当業者には理解されるように、三次元形状で実現しても良いことに注意すべきである。
【００１１】
ＲＦ入力部１４２は、マルチバンドアンテナ１１０に対しておよび／またはこれからＲＦ信号を搬送する物理的接続であるフィードライン（伝送線路とも呼ばれる）に対してマルチバンドアンテナ１１０を結合するフィードラインコネクタであり得る。このフィードラインコネクタは、同軸フィードライン、ツインリードライン、導波路を含む３つの一般的なタイプのフィードラインのうちの１つであり得る。特に導波路は、円形または矩形の断面形状を持つ中空の金属製の導線であり、この中空の金属製導線の内部に沿ってＲＦ信号が移動する。こうする代わりに、他のタイプのコネクタを用いることも可能である。図示される実施形態では、フィードラインコネクタは、マルチバンドアンテナ１１０のモノポールアンテナ１２０に物理的に結合されているが、マルチバンドアンテナ１１０のＴモノポールアンテナ１３０には物理的に結合されていない。しかしながら、Ｔモノポールアンテナ１３０は、モノポールアンテナ１２０に寄生的に結合されている。
【００１２】
１つの実施形態では、マルチバンドアンテナ１１０は、ユーザ装置の誘電性キャリア上に配置される。マルチバンドアンテナ１１０の導電材料はユーザ装置の他の金属と電気的に接触することなく配置することが可能なユーザ装置のなんらかの非導電材料であり得る。別の実施形態では、マルチバンドアンテナ１１０は、プリント基板（ＰＣＢ）などの回路基板上または内部に配置される。
【００１３】
図２は、１つの実施形態に関わる図１のマルチバンドアンテナ１１０を有するユーザ装置１０５のブロック図である。ユーザ装置１０５は、１つ以上のＣＰＵ、マイクロコントローラ、フィールドプログラマブルゲートアレイ、また他のタイプの処理装置などの１つ以上のプロセッサ２３０を含む。ユーザ装置１０５はまた、揮発性記憶機構および／または不揮発性記憶機構の何らかの組み合わせに対応し得るシステムメモリ２０６を含む。システムメモリ２０６は、オペレーティングシステムのコンポーネント２０８、様々なプログラムモジュール２１０、プログラムデータ２１２および／または他のコンポーネントを規定する情報を記憶する。ユーザ装置１０５は、システムメモリ２０６が提供する命令を実行するために、１つまたは複数のプロセッサ２３０を用いて機能を実行する。
【００１４】
ユーザ装置１０５はまた、１つ以上のタイプの取り外し可能な記憶装置および／または１つ以上のタイプの取り外し不可能な記憶装置から成り得るデータ記憶装置２１４を含む。データ記憶装置２１４は、本明細書に説明するように、ユーザ装置１０５の機能のうちのいずれか１つ以上を実現する１つ以上の集合の命令が記憶されているコンピュータ読み取り可能記憶媒体２１６を含む。図示するように、命令は、完全にまたは少なくとも部分的に、コンピュータ読み取り可能記憶媒体２１６、システムメモリ２０６内部におよび／またはユーザ装置１０５によって実行されている間での１つ以上のプロセッサ２３０、システムメモリ２０６およびこれまたコンピュータ読み取り可能媒体を構成する１つ以上のプロセッサ２３０内部に常駐する。ユーザ装置１０５はまた、１つ以上の入力装置２２０（キーボード、マウス装置、特殊化された選択キーなど）および１つ以上の出力装置２１８（表示装置、プリンタ、オーディオ出力機構など）を含み得る。
【００１５】
ユーザ装置１０５はさらに、遠隔コンピュータ、アイテム提供システムなどの他の演算装置と無線ネットワーク（例えば、無線通信システムによって提供されるようなもの）を介して通信することをユーザ装置１０５に可能とする無線モデム２２２を含む。無線モデム２２２は、ユーザ装置１０５が無線通信システムを用いて音声通信および非音声通信（テキストメッセージ、マルチメディアメッセージ、メディアダウンロード、ウェブの閲覧などのための通信等）の双方を取り扱うことを可能にする。無線モデム２２２は、例えば、携帯デジタルパケットデータ（ＣＤＰＤ）、一般的なパケット無線サービス（ＧＰＲＳ）、ＧＳＭ進化のための機能強化されたデータレート（ＥＤＧＥ）、ユニバーサルモバイル電気通信システム（ＵＭＴＳ）、タイマー無線伝送技術（１ｘＲＴＴ）、最適化された進化データ（ＥＶＤＯ）、高速ダウンリンクパケットアクセス（ＨＳＤＰＡ）、ＷｉＦｉなどを含むなんらかのタイプのデジタルモバイルネットワーク技術を用いてネットワークの接続性を提供し得る。他の実施形態では、無線モデム２２２が、異なるセルラネットワークで異なる通信タイプ（例えば、ＷＣＤＭＡ、ＧＳＭ、ＬＴＥ、ＣＤＭＡ、ＷｉＭａｘなど）に従って通信してもよい。セルラネットワークアーキテクチャは、複数のセルを含み得るが、この場合、各セルが、セル内のユーザ装置と通信するように構成された基地局を含む。これらのセルは、同じ周波数、異なった周波数、同じ通信タイプ（例えば、ＷＣＤＭＡ、ＧＳＭ、ＬＴＥ、ＣＤＭＡ、ＷｉＭａｘなど）または異なった通信タイプを用いてユーザ装置１０５と通信し得る。各基地局は、ユーザ装置１０５が、他のユーザ装置、サーバ演算システム、電話装置などの他の装置と通信することを可能となるように、インターネット、ローカルエリアネットワーク（ＬＡＮ）、公衆交換電話ネットワーク（ＰＳＴＮ）などの私的ネットワーク、公衆ネットワークまたは双方に接続し得る。無線通信システムに無線接続することに加えて、ユーザ装置１０５はまた、他のユーザ装置と無線接続し得る。例えば、ユーザ装置１０５は、別のユーザ装置と無線アドホック（ピアツーピア）ネットワークを形成し得る。
【００１６】
無線モデム２２２は、信号を発生して、これらの信号を、増幅目的で電力増幅器（ａｍｐ）２８０または電力増幅器２８６に送出し、その後、これらはそれぞれマルチバンドアンテナ１１０またはアンテナ２８４を介して無線送信される。マルチバンドアンテナ１１０とは分離しているオプションのアンテナであるアンテナ２８４は、マルチバンドアンテナ１１０の周波数帯域とは異なった周波数帯域におけるなんらかの指向性アンテナ、全方向性アンテナまたは無指向性アンテナであり得る。アンテナ２８４はまた、マルチバンドアンテナ１１０とは異なった無線通信プロトコルを用いて情報を送信する。データを送出することに加えて、マルチバンドアンテナ１１０およびアンテナ２８４はまた、データを受信し、このデータは無線モデム２２２に送られて１つまたは複数のプロセッサ２３０に転送される。ユーザ装置１０５が、図２のブロック図に例示されるように多かれ少なかれコンポーネントを含み得ることに注意すべきである。
【００１７】
１つの実施形態では、ユーザ装置１０５は、第１の無線通信プロトコルを用いて第１の接続を確立し、異なった無線通信プロトコルを用いて第２の接続を確立する。第１の無線接続および第２の無線接続は、例えば、ユーザ装置がサーバから（例えば、第１の接続を介して）メディアアイテムをダウンロードして、同時にファイルを別のユーザ装置（例えば、第２の接続を介して）転送している場合には、同時に起動状態であり得る。こうする代わりに、これら２つの接続は、起動状態のセッション（例えば、電話会話）を維持するために無線接続同士間でのハンドオフのあいだには同時に起動状態であり得る。このようなハンドオフは、例えば、ＷｉＦｉホットスポットへの接続と無線キャリアシステムへの接続との間で実行され得る。１つの実施形態では、第１の無線接続は、第１の周波数帯域で動作するマルチバンドアンテナ１１０の第１の共振モードと関連しており、第２の無線接続は、第２の周波数帯域で動作するマルチバンドアンテナ１１０の第２の共振モードと関連している。別の実施形態では、第１の無線接続は、マルチバンドアンテナ１１０と関連しており、第２の無線接続は、アンテナ２８４と関連している。他の実施形態では、第１の無線接続は、メディア購入応用分野（例えば、電子本をダウンロードするため）と関連しており、一方第２の無線接続は、無線アドホックネットワーク応用分野と関連している。これら無線接続のうちの１つと関連している他の応用分野には、例えば、ゲーム、電話応用分野、インターネット閲覧応用分野、ファイル転送応用分野、グローバルポジショニングシステム（ＧＰＳ）応用分野などが含まれる。
【００１８】
１つのモデム２２２が、アンテナ１１０および２８４の双方に対する送信を制御しているところを示したが、こうする代わりに、ユーザ装置１０５は、各々が異なったアンテナおよび／または無線送信プロトコルを介してデータを送信／受信するように構成された複数の無線モデムを含み得る。加えて、ユーザ装置１０５は、２つのアンテナ１１０および２８４を持っているところが例示されているが、様々な実施形態では２つ以上または２つ以下のアンテナを含み得る。
【００１９】
ユーザ装置１０５は、ネットワークを介して、アイテム、アップグレードおよび／または他の情報を配信および／または受信する。例えば、ユーザ装置１０５は、アイテム提供システムからアイテムをダウンロードまたは受信し得る。アイテム提供システムは、ネットワークを介してユーザ装置１０５から、様々な要求、命令および他のデータを受信する。アイテム提供システムは、上記の機能性を提供するための処理能力および記憶能力を有する１つ以上の機械（例えば、１つ以上のサーバコンピュータシステム、ルータ、ゲートウエイなど）を含み得る。アイテム提供システムとユーザ装置１０５との間の通信は、なんらかの通信基盤を介して可能とされ得る。このような基盤の一例として、手で配線接続されたリンクを介して、アイテム提供システムに拘束されることなくアイテムを購入したり消費したりするためにユーザがユーザ装置１０５を用いることを可能とする、ワイドエリアネットワーク（ＷＡＮ）および無線基盤の組み合わせが含まれる。無線基盤は、１つ以上の無線通信システムなどの１つまたは複数の無線通信システムによって提供され得る。この無線通信システムの１つに、ネットワークと接続した無線フィデリティ（ＷｉＦｉ）ホットスポットがあり得る。この無線通信システムの別の１つに、様々なデータ処理装置や通信塔などを用いて実現可能な無線キャリアシステムがあり得る。こうする代わりにまたはこれに加えて、無線キャリアシステムは、衛星技術に依存してユーザ装置１０５と情報を交換し得る。
【００２０】
通信基盤はまた、アイテム提供システムと無線通信システムとの間での情報のやり取りの際の媒介としての役割をする通信許可システムを含み得る。この通信許可システムは、専用のチャンネルを介して無線通信システム（例えば、無線キャリア）と通信し得る、または、非専用の通信機構、例えばインターネットなどの公衆ワイドエリアネットワーク（ＷＡＮ）を介してアイテム提供システムと通信し得る。
【００２１】
ユーザ装置１０５は、１つ以上のタイプのメディアアイテムの消費を可能とするために、様々な機能性で様々に構成される。メディアアイテムは、様々なタイプのフォーマットのデジタルコンテンツであり得るが、これには、例えば、電子テキスト（例えば、電子本、電子雑誌、デジタル新聞など）、デジタルオーディオ（例えば、音楽、可聴本など）、デジタルビデオ（例えば、映画、テレビ、ショートクリップなど）、画像（例えば、美術、写真など）およびマルチメディアコンテンツが含まれる。ユーザ装置１０５には、電子本読み取り装置、携帯式デジタルアシスタンスト、モバイル電話、ラップトップコンピュータ、携帯式メディアプレーヤー、タブレットコンピュータ、カメラ、ビデオカメラ、ネットブック、ノート型パソコン、デスクトップ型コンピュータ、ゲーム機、ＤＶＤプレーヤー、メディアセンターなどの何らかのタイプのコンテンツレンダリング装置が含まれ得る。
【００２２】
上述したとおり、図１に示すＴモノポールアンテナ１３０以外のタイプのアンテナを用いることが可能である。図５に、ループアンテナ５１２およびモノポールアンテナ５１４を含むマルチバンドアンテナ５１０の別の実施形態を示す。ループアンテナ５１２は駆動されるアンテナであり、モノポールアンテナ５１４は寄生素子である。ループアンテナ５１２は複数の共振モードを含むように設計することが可能であり、一方、モノポールアンテナ５１４は、追加の共振モードを付加することによってアンテナの帯域幅を拡張するために用いられる。図６に、延長領域６１３付きのループアンテナ５１２およびモノポールアンテナ５１４を含むマルチバンドアンテナ６１０の別の実施形態を示す。図６のマルチバンドアンテナ６１０は、図５のマルチバンドアンテナ５１０に類似しているが、ループアンテナ５１２上に延長領域６１３を含む。図示する実施形態では、延長領域６１３は、ループ５１２の内部に向かって延長して、ループ５１２内部にＣ字形状を形成している。他の実施形態では、延長領域６１３が、他の形状を有するように設計されてもよく、周波数特性を調節するために、寸法が変化されてもよい。本実施形態では、延長領域６１３は、マルチバンドアンテナ６１０に対して追加の共振モードを付加する。延長領域６１３無しでは２つの共振モードがあり、延長領域６１３有りでは３つの共振モードがある。延長領域６１３はまた、マルチバンドアンテナおよび単一ＲＦ入力部のインピーダンス整合のために用いられ得る。こうする代わりに、本開示の恩典を有する当業者には理解されるように、追加の共振モードを付加し、また、マルチバンドアンテナと単一ＲＦ入力部との間でのインピーダンス整合を制御するような他の構成を用い得る。
【００２３】
１つの実施形態では、マルチバンドアンテナは、少なくとも３つの共振モードを含む。別の実施形態では、マルチバンドアンテナは、４つの共振モードを含む。代替例では、マルチバンドアンテナは、本開示の恩典を有する当業者には理解されるように、５つ以上の共振モードを含み得る。
【００２４】
他の実施形態では、図７に示すような、モノポールアンテナ以外のタイプのアンテナを用いてもよい。図７に、ループアンテナ７１２およびＴモノポールアンテナ７１４を含むマルチバンドアンテナ７１０の別の実施形態を示す。図７のループアンテナ７１２は、追加の共振モードを付加するために用いることが可能である。本実施形態では、マルチバンドアンテナ７１０は、ループアンテナ７１２で単一ＲＦ入力部７４２からデータ入力され、Ｔモノポールアンテナ７１４は寄生素子である。図示する実施形態では、Ｔモノポールアンテナ７１４は寄生素子であるが、その理由は、それが、単一ＲＦ入力部７４２のところで駆動されるループアンテナ７１２から物理的に離れているからである。駆動されるループアンテナ７１２は、Ｔモノポールアンテナ７１４の電流のフローを寄生的に励起する。Ｔモノポールアンテナ７１４およびループアンテナ７１２は、あるギャップだけ分離することが可能である。ループアンテナ７１２およびＴモノポールアンテナ７１４の寸法は、本明細書に記載するように、本開示の恩典を有する当業者には理解されるように、所望の周波数範囲を達成するために変更され得る。
【００２５】
図示の実施形態では、Ｔモノポールアンテナ７１４は、接地７２３に結合された基部７２１を含む。接地７２３は、ユーザ装置の金属フレームであり得る。接地７２３は、システムの接地でもユーザ装置が持つ複数の接地のうちの１つでもよい。Ｔモノポールアンテナ７１４は、基部７２１の第１の側部から外側に延長している左アーム７２４および基部７２１の第２の側部から外側に延長している右上アーム７２２を含む。Ｔモノポールアンテナ７１４はまた、右上アーム７２２の遠位端から基部７２１の第２の側部に向かって戻るように延長している右の折り返しアーム７２６を含む。別の実施形態では、Ｔモノポールアンテナ７１４はまた、右の折り返しアーム７２６のある部分を右の折り返しアーム７２６の長手方向軸から別の方向に延長させる延長領域７２８を含む。図示の実施形態では、延長領域７２８は、右上アーム７２２に向かって右の折り返しアーム７２６のある部分を延長させる。これによって、延長部分と右上アーム７２２との間のギャップが、非延長部分と右上アーム７２２との間のギャップより小さくなる。右の折り返しアーム７２６のこの部分は、基部７２１に近い右の折り返しアーム７２６の遠位端のところにあり得る。代替例では、延長領域７２６は、本開示の恩典を有する当業者には理解されるように、延長領域７２６は、右の折り返しアーム７２６を他の方向に延長させ得る。
【００２６】
本実施形態では、４つの生成された共振モードがある。Ｔモノポールアンテナ７１４の右上アーム７２２が、低周波帯域中の７００ＭＨｚのところで第１の共振モードを生じさせる。Ｔモノポールアンテナ７１４の左のアーム７２４が、低周波帯域中の８５０ＭＨｚのところで第２の共振モードを生じさせる。Ｔモノポールアンテナ７１４の右の折り返しアーム７２６が、高周波帯域中の１８６０ＭＨｚのところで第３の共振モードを生じさせる。ループアンテナ７１２が、高周波帯域中の２１１０ＭＨｚのところで第４の共振モードを生じさせる。マルチバンドアンテナ７１０は、余分の共振モードを付加することによって帯域幅を増大させ、また、周波数受信可能範囲を７００ＭＨｚにまで拡大させる。他の実施形態では、第１の共振モードが５５０ＭＨｚ〜８５０ＭＨｚの範囲にあり、第２の共振モードが７００ＭＨｚ〜１０００ＭＨｚの範囲にあり、第３の共振モードが１６６０ＭＨｚ〜２０６０ＭＨｚの範囲にあり、第４の共振モードが１９１０ＭＨｚ〜２３１０ＭＨｚの範囲にある。本実施形態では、第１の共振モードから第４の共振モードまでの周波数の順序は、最高周波数から最低周波数まで、第１、第２、第３、第４という共振モードの順序と逆である。とはいえ、第１、第２、第３、第４という表記を、様々な共振モードに割り当てることが可能な実施形態もある。例えば、１つの実施形態では、共振モードに最高周波数から最低周波数までを別の順序で、例えば、第１の共振モード、第４の共振モード、第２の共振モード、第３の共振モードの順で割り当てることが可能である。共振モードに対する第１、第２、第３、第４という表記は、特定の周波数や、周波数範囲や、マルチバンドアンテナの部品に対して割り当てられるものであると厳密に解釈されないことに注意すべきである。むしろ、第１、第２、第３、第４という表記は、説明を容易にするために用いられる。
【００２７】
１つの実施形態では、Ｔモノポールアンテナ７１４の右の折り返しアーム７２６は、延長領域７２８を有している。延長領域７２８は、第３の共振モードの周波数に貢献するだけではなく、第４の共振モードのインピーダンス整合（すなわち、マルチバンドアンテナと単一ＲＦ入力部間のインピーダンス整合）を制御する。こうする代わりに、本開示の恩典を有する当業者には理解されるように、マルチバンドアンテナ７１０の他の実施形態を用いてもよい。他の実施形態では、本開示の恩典を有する当業者には理解されるように、Ｔモノポールアンテナが左上アーム、左の折り返しアームおよび右アームを含むようにマルチバンドアンテナ７１０を変換し得る。
【００２８】
ＲＦ入力部７４２は、図１を参照して上記したように、マルチバンドアンテナ７１０をフィードラインに結合するフィードラインコネクタであり得る。図示する実施形態では、フィードラインコネクタは、マルチバンドアンテナ７１０のループアンテナ７１２に物理的に結合されているが、マルチバンドアンテナ７１０のＴモノポールアンテナ７１４には物理的に結合されていない。しかしながら、Ｔモノポールアンテナ７１４は、ループアンテナ７１２に寄生的に結合されている。
【００２９】
図８は、１つの実施形態に関わる、第１のアンテナおよび第１のアンテナに寄生的に結合した第２のアンテナを有するマルチバンドアンテナを持ったユーザ装置を操作する方法８００の実施形態のフロー図である。方法８００においては、第１の電流が、第１のアンテナに結合された単一無線周波数（ＲＦ）入力部のところに誘導されて、第１の共振モードを提供する（ブロック８０２）。これに応答して、第１のアンテナが、第１のアンテナに寄生的に結合された第２のアンテナのところに第２の電流を寄生的に誘導し、この第２のアンテナが複数の共振モードを提供する（ブロック８０４）。この誘導電流に応答して、電磁エネルギが第１のアンテナおよび第２のアンテナから放射されて、情報を別の装置に通信する（ブロック８０６）。この電磁エネルギは、放射パターンを形成する。この放射パターンは、本開示の恩典を有する当業者には理解されるように、様々な形状であり得る。
【００３０】
１つの実施形態では、電流がＲＦ入力部に誘導され、これが、第１のアンテナのところに電流フローを誘導する。第１のアンテナが、第２のアンテナのところに電流フローを寄生的に誘導する。第２のアンテナのところに電流フローを誘導することによって、第１のアンテナはマルチバンドアンテナの帯域幅を増加しし、第１のアンテナの共振モードに２つ以上の追加の共振モードを提供する。本明細書に説明するように、第２のアンテナは、第１のアンテナからあるギャップだけ物理的に離れている。
【００３１】
上記の記述では、多くの詳細を説明した。しかしながら、本開示の恩典を有する当業者には、本発明の実施形態は、これらの特定的な詳細無しでも実施し得ることが明らかであろう。一部の例では、公知の構造体および装置を、説明が曖昧になることを避けるために、詳細に示す代わりにブロック図で示してある。
【００３２】
詳細な説明の一部は、コンピュータメモリ内のデータビットに対する動作をアルゴリズムと記号で表現して提示されている。これらのアルゴリズムによる説明および表現は、データ処理技術の当業者によって用いられて、かれらの業績の本質を他の当業者に最も効果的に伝えている。本明細書中では、そして一般的に、アルゴリズムは、所望の結果に至る首尾一貫した一連のステップであると考えられている。これらのステップは、物理的な数量を物理的に操作することを必要とするものである。必ずしもではないが、通常は、このような数量は、記憶されたり、転送されたり、組み合わされたり、比較されたりまたは別様に操作されたりすることが可能な電気信号または磁気信号という形態を取る。主として一般的に用いられているという理由で、このような信号ビット、値、要素、記号、文字、項目、数などと呼ぶのが便利であることが分かっている。
【００３３】
しかしながら、これらの用語および類似の用語の全てが適切な物理的数量と関連しているはずであり、また、これらの数量に適用される単に便利なラベルであると心に留めておくべきである。上記の検討から明らかなように、具体的に別様の記載がない限り、本説明の全体にわたって、「誘導する」、「寄生的に誘導する」、「放射する」、「検出する」、「決定する」、「発生する」、「通信する」、「受信する」、「不可能とする」などの用語を利用する検討は、コンピュータシステムのレジスタおよびメモリの内部の物理的な（例えば、電子的な）数量として表されるデータを操作して、コンピュータシステムメモリもしくはレジスタまたは他のこのような情報記憶装置、送信装置または表示装置内部の物理的数量として同じように表される他のデータに変換するコンピュータシステムまたは類似の電子演算装置の動作およびプロセスのことであることが理解されるだろう。
【００３４】
本発明の実施形態はまた、本明細書中で動作を実行する装置に関連する。この装置は、必要な目的のために特別の構造となっていたり、コンピュータに記憶されたコンピュータプログラムによって選択的に起動されたまたは再構成された汎用のコンピュータを備えていたりする。このようなコンピュータプログラムは、フロッピディスク、光ディスク、ＣＤ−ＲＯＭおよび光磁気ディスクを含む何らかのタイプのディスク、リードオンリーメモリ（ＲＯＭ）、ランダムアクセスメモリ（ＲＡＭ）ＥＰＲＯＭ、ＥＥＰＲＯＭ、磁気カードもしくは光カードなどのコンピュータ読み取り可能媒体または電子的命令を記憶するのに適した何らかのタイプの媒体に記憶され得るが、これらに限られない。
【００３５】
本明細書で提示されるアルゴリズムおよび表示は、いかなる特定のコンピュータや他の装置にも本質的に関連しているわけではない。様々な汎用システムを、本明細書では教示に従ってプログラムと一緒に用いられたり、または、必要な方法ステップを実行するために、より特殊化された装置を構成するのが便利であることが分かったりし得る。様々なこのようなシステムにとって必要とされる構造は、以下の説明から現れるであろう。加えて、本発明は、なんら特定のプログラム言語を参照して説明されることはない。本明細書に説明するような本発明の教示を実現するために、様々なプログラム言語を用いられ得ることが理解されるであろう。本明細書で用いられるような「〜する時」という用語または「〜に応答して」と言う句は、特定の動作を実行する以前に、介在する時、介在する事象またはこれらの双方が存在し得ることを理解すべきであることにもまた注意すべきである。
【００３６】
上述の説明は例示を目的としたものであり、制限的であることを意図したものではないことを理解すべきである。上記の説明を読んで理解すれば、多くの他の実施形態が、当業者には明らかであろう。したがって、本発明の範囲は、添付のクレームと、このようなクレームの同等物の全範囲とを参照して決定されるべきである。
【００３７】
付記
１．マルチバンドアンテナであって、
単一無線周波数（ＲＦ）入力部と、
前記単一ＲＦ入力部に結合された第１のアンテナであって、前記マルチバンドアンテナの第１の共振モードを提供するように構成される第１のアンテナと、
前記第１のアンテナに寄生的に結合された第２のアンテナであり、前記第２のアンテナは前記マルチバンドアンテナの複数の共振モードを提供するように構成される第２のアンテナと、を備える、マルチバンドアンテナ。
２．前記第１のアンテナがモノポールアンテナである、付記１に記載のマルチバンドアンテナ。
３．前記第１のアンテナがループアンテナである、付記１に記載のマルチバンドアンテナ。
４．前記第２のアンテナがＴモノポールアンテナである、付記１に記載のマルチバンドアンテナ。
５．前記Ｔモノポールアンテナが、
接地に結合された基部と、
前記基部の第１の側部から外部に延長する第１のアームと、
前記基部の第２の側部から外部に延長する第２のアームと、
前記第２のアームの遠位端から前記基部の前記第２の側部に向かって戻るように延長する折り返しアームと、を備える、付記４に記載のマルチバンドアンテナ。
６．前記第１のアームが前記複数の共振モードのうちの１つとして第２の共振モードを提供するように構成され、前記第２のアームが前記複数の共振モードのうちの１つとして第３の共振モードを提供するように構成され、前記折り返しアームが前記複数の共振モードのうちの１つとして第４の共振モードを提供するように構成される、付記５に記載のマルチバンドアンテナ。
７．前記第１の共振モードが１９１０ＭＨｚ〜２３１０ＭＨｚの範囲にあり、前記第２の共振モードが７００ＭＨｚ〜１０００ＭＨｚの範囲にあり、前記第３の共振モードが５５０ＭＨｚ〜８５０ＭＨｚの範囲にあり、前記第４の共振モードが１６６０ＭＨｚ〜２０６０ＭＨｚの範囲にある、付記６に記載のマルチバンドアンテナ。
８．前記第１、第２、第３、第４の共振モードの最高周波数から最低周波数までの周波数の順序は、前記第１の共振モード、前記第４の共振モード、前記第２の共振モード、前記第３の共振モードの順である、付記６に記載のマルチバンドアンテナ。
９．前記Ｔモノポールアンテナが、
接地に結合された基部と、
前記基部の第１の側部から外部に延長する第１のアームと、
前記基部の第２の側部から外部に延長する第２のアームと、
前記第２のアームの遠位端から前記基部の前記第２の側部に向かって戻るように延長する折り返しアームと、
前記第２のアームの長手方向の軸から別の方向に前記第２のアームのある部分を延長させる延長領域と、を備える、付記４に記載のマルチバンドアンテナ。
１０．前記第１のアームが前記複数の共振モードのうちの１つとして第２の共振モードを提供するように構成され、前記第２のアームが前記複数の共振モードのうちの１つとして第３の共振モードを提供するように構成され、前記折り返しアームおよび前記延長領域が前記複数の共振モードのうちの１つとして第４の共振モードを提供するように構成される、付記９に記載のマルチバンドアンテナ。
１１．前記第１の共振モードが１９１０ＭＨｚ〜２３１０ＭＨｚの範囲にあり、前記第２の共振モードが７００ＭＨｚ〜１０００ＭＨｚの範囲にあり、前記第３の共振モードが５５０ＭＨｚ〜８５０ＭＨｚの範囲にあり、前記第４の共振モードが１６６０ＭＨｚ〜２０６０ＭＨｚの範囲にある、付記１０に記載のマルチバンドアンテナ。
１２．前記第１、第２、第３、第４の共振モードの最高周波数から最低周波数までの周波数の順序は、前記第１の共振モード、前記第４の共振モード、前記第２の共振モード、前記第３の共振モードの順である、付記１０に記載のマルチバンドアンテナ。
１３．前記延長領域が、前記マルチバンドアンテナと前記単一ＲＦ入力部との間のインピーダンス整合を制御するように構成される、付記１０に記載のマルチバンドアンテナ。
１４．前記第１のアンテナがループアンテナであり、前記第２のアンテナがモノポールアンテナである、付記１に記載のマルチバンドアンテナ。
１５．前記ループアンテナが延長領域を備える、付記１４に記載のマルチバンドアンテナ。
１６．無線モデムと、
前記無線モデムに結合された単一無線周波数（ＲＦ）入力部を介して前記無線モデムとの間でデータを通信するために電磁エネルギを放射するように構成されるマルチバンドアンテナであって、
前記単一ＲＦ入力部に結合された第１のアンテナであって、前記マルチバンドアンテナの第１の共振モードを提供するように構成される第１のアンテナと、
前記第１のアンテナに寄生的に結合された第２のアンテナであって、前記マルチバンドアンテナの複数の共振モードを提供するように構成される第２のアンテナと、を備えるマルチバンドアンテナと、を備える、ユーザ装置。
１７．前記無線モデムと前記単一ＲＦ入力部とに結合された電力増幅器をさらに備える、付記１６に記載のユーザ装置。
１８．前記第１のアンテナがモノポールアンテナである、付記１６に記載のユーザ装置。
１９．前記第１のアンテナがループアンテナである、付記１６に記載のユーザ装置。
２０．前記第２のアンテナがＴモノポールアンテナである、付記１６に記載のユーザ装置。
２１．前記Ｔモノポールアンテナが、
接地に結合された基部と、
前記基部の第１の側部から外部に延長する第１のアームと、
前記基部の第２の側部から外部に延長する第２のアームと、
前記第２のアームの遠位端から前記基部の前記第２の側部に向かって戻るように延長する折り返しアームと、を備える、付記２０に記載のユーザ装置。
２２．前記第１のアームが前記複数の共振モードのうちの１つとして第２の共振モードを提供するように構成され、前記第２のアームが前記複数の共振モードのうちの１つとして第３の共振モードを提供するように構成され、前記折り返しアームが前記複数の共振モードのうちの１つとして第４の共振モードを提供するように構成される、付記２１に記載のユーザ装置。
２３．前記第１の共振モードが１９１０ＭＨｚ〜２３１０ＭＨｚの範囲にあり、前記第２の共振モードが７００ＭＨｚ〜１０００ＭＨｚの範囲にあり、前記第３の共振モードが５５０ＭＨｚ〜８５０ＭＨｚの範囲にあり、前記第４の共振モードが１６６０ＭＨｚ〜２０６０ＭＨｚの範囲にある、付記２２に記載のユーザ装置。
２４．前記第１、第２、第３、第４の共振モードの最高周波数から最低周波数までの周波数の順序は、前記第１の共振モード、前記第４の共振モード、前記第２の共振モード、前記第３の共振モードの順である、付記２２に記載のユーザ装置。
２５．前記Ｔモノポールアンテナが、
接地に結合された基部と、
前記基部の第１の側部から外部に延長する第１のアームと、
前記基部の第２の側部から外部に延長する第２のアームと、
前記第２のアームの遠位端から前記基部の前記第２の側部に向かって戻るように延長する折り返しアームと、
前記第２のアームの長手方向の軸から別の方向に前記第２のアームのある部分を延長させる延長領域と、を備える、付記２０に記載のユーザ装置。
２６．前記第１のアームが前記複数の共振モードのうちの１つとして第２の共振モードを提供するように構成され、前記第２のアームが前記複数の共振モードのうちの１つとして第３の共振モードを提供するように構成され、前記折り返しアームおよび前記延長領域が前記複数の共振モードのうちの１つとして第４の共振モードを提供するように構成される、付記２５に記載のユーザ装置。
２７．前記延長領域が、前記マルチバンドアンテナと前記単一ＲＦ入力部との間のインピーダンス整合を制御するように構成される、付記２６に記載のユーザ装置。
２８．前記マルチバンドアンテナが誘電性キャリア上に配置される、付記１６に記載のユーザ装置。
２９．第１のアンテナに結合された単一無線周波数（ＲＦ）入力部のところに第１の電流を誘導して、第１の共振モードを提供するステップと、
これに応答して、前記第１のアンテナに寄生的に結合された第２のアンテナのところに第２の電流を寄生的に誘導するステップであって、前記第２のアンテナが複数の共振モードを提供するステップと、
前記第１および第２の電流に応答して、前記マルチバンドアンテナの前記第１および第２のアンテナから電磁エネルギを放射して、情報を別の装置に通信するステップと、を含む、ユーザ装置を操作する方法。
３０．前記第１のアンテナがモノポールアンテナであり、前記第２のアンテナがＴモノポールアンテナである、付記２９に記載の方法。
３１．前記第１のアンテナがループアンテナであり、前記第２のアンテナがＴモノポールアンテナである、付記２９に記載の方法。
３２．前記複数の共振モードが、第１、第２、第３、第４の共振モードを含み、前記第１の共振モードが５５０ＭＨｚ〜８５０ＭＨｚの範囲にあり、前記第２の共振モードが７００ＭＨｚ〜１０００ＭＨｚの範囲にあり、前記第３の共振モードが１６６０ＭＨｚ〜２０６０ＭＨｚの範囲にあり、前記第４の共振モードが１９１０ＭＨｚ〜２３１０ＭＨｚの範囲にある、付記２９に記載の方法。
【図１】
0005740049.tif 000002
【図２】
0005740049.tif 000003
【図５】
0005740049.tif 000004
【図６】
0005740049.tif 000005
【図７】
0005740049.tif 000006
【図８】
0005740049.tif 000007
【図３】
0005740049.tif 000008
【図４】
0005740049.tif 000009